(57)【要約】      （修正有）【課題】エレベータドアが当接しても、案内溝から外れにくいドアストッパを提供する。【解決手段】ドアストッパは１０、案内溝４の幅方向Ｗに間隔が拡げられて、側壁５ａ，５ｂに当接する突っ張り部と、ドア１が当接して案内溝方向Ｌに入力された力を、向きを変えて突っ張り部に伝達させる力伝達部とを有する。突っ張り部は、側壁５ａに当接する押圧面２２と、側壁５ｂに当接する円柱体側面３２とを有し、力伝達部は、ドア１が当接するドア当接面２０と、円柱体側面３２と係合する斜面２６とを有する楔状部材１２である。ドア１がドアストッパ１０に当接しても、力伝達部に入力された力に応じて、突っ張り部が側壁を押圧する力が増大し、ドアストッパ１０は、ドアストッパ１０と側壁５ａ，５ｂの間に作用する摩擦力を増大させる。【選択図】図４
2007045589.tif 000002
【特許請求の範囲】
【請求項１】
エレベータ装置のドアの開閉動作を案内する案内溝内に置かれて、ドアの戸閉動作を阻止するドアストッパであって、
案内溝の幅方向に間隔が拡げられて、それぞれ案内溝の対向する側壁に当接する突っ張り手段と、
ドアが当接して案内溝方向に入力された力を、向きを変えて突っ張り手段に伝達させる力伝達手段と、
を有し、
ドアが力伝達手段に当接すると、突っ張り手段は、力伝達手段から伝達された力を受けて、案内溝の対向する側壁を押圧する、
ドアストッパ。
【請求項２】
請求項１に記載のドアストッパであって、
突っ張り手段は、案内溝の一方の側壁に当接する第１面と、他方の側壁に当接する円筒状の第２面と、を有し、
力伝達手段は、ドアが当接するドア当接面と、ドア当接面と第１面と同一の部材に形成され、第２面と係合する斜面と、を有し、
ドア当接面と第１面と斜面とが形成された同一の部材は、第１面と斜面により、ドア当接面から案内溝方向に離れるに従って溝幅方向に細くなるよう形成された先細部と、ドア当接面を含み先細部の基部として形成された当接部と、を有する楔状部材であり、
第２面は、斜面に沿って移動可能に支持される円柱体の側面であり、
ドアがドア当接面に当接して楔状部材を押すと、楔状部材の先細部が円柱体と一方の案内溝側壁との間に押し込まれ、
第１面及び第２面が、案内溝の対向する側壁をそれぞれ押圧する、
ドアストッパ。
【請求項３】
請求項１に記載のドアストッパであって、
突っ張り手段は、案内溝の一方の側壁に当接する押圧板と、押圧板との間隔が変化するよう移動可能に設けられ、側面が案内壁の他方の側壁に当接する円柱体と、を有し、
力伝達手段は、ドアが当接するドア当接部と、ドア当接部から案内溝方向に離れるに従って溝幅方向に細くなるよう形成された先細部と、を有する楔状部材であり、
ドアがドア当接部に当接して楔状部材を押すと、楔状部材の先細部が円柱体と押圧板との間に押し込まれ、
円柱体と押圧板が、案内溝の対向する側壁をそれぞれ押圧する、
ドアストッパ。
【請求項４】
請求項１に記載のドアストッパであって、
突っ張り手段は、略コの字形状であって、それぞれ案内溝の対向する側壁にそれぞれ当接する２つの腕部を含む、コの字状部材であり、
力伝達手段は、ドアが当接するドア当接部と、ドア当接部から案内溝方向に離れるに従って溝幅方向に細くなるよう形成された先細部と、を有する楔状部材であり、
ドアがドア当接部に当接して楔状部材を押すと、楔状部材の先細部が２つの腕部の間に押し込まれ、
コの字状部材の２つの腕部が、案内溝の対向する側壁をそれぞれ押圧する、
ドアストッパ。
【請求項５】
請求項１に記載のドアストッパであって、
突っ張り手段は、案内溝内に収容されるブロックに形成されるコの字形状であって、コの字形状の２つの腕部が案内溝の対向する側壁にそれぞれ当接するコの字状部であり、
力伝達手段は、ブロックに設けられた軸を中心に旋回するレバーに形成され、前記コの字部に当接する側ほど先細となる先細部と、先細部の背面側にありドアが当接するドア当接部とを有し、
ドアがドア当接部に当接してレバーを押すと、楔状部材の先細部が、前記２つの腕部の間に押し込まれ、
コの字状部の２つの腕部が、案内溝の対向する側壁をそれぞれ押圧する、
ドアストッパ。
【発明の詳細な説明】
【技術分野】
【０００１】
本発明は、エレベータ装置の保守・修理作業時に、エレベータドアを戸開状態に維持するためのドアストッパに関し、特に、ドアの開閉動作を案内する案内溝内に置かれて、戸閉動作を阻止するドアストッパの構造に関する。
【背景技術】
【０００２】
エレベータ装置の保守・修理作業には、エレベータドアを戸開状態に維持して行う作業がある。しかし、エレベータドアは、一般的に、自動的に閉じるように設定されているものが多く、保守作業等を行うためには、エレベータドアの戸閉動作を物理的に阻止する必要がある。
【０００３】
このため、従来から、ドアの開閉動作を案内する案内溝内に、ドアストッパを装着することが行われている。例えば、下記の特許文献１に記載のドアストッパ（戸閉阻止具ともいう）１００は、図１４に示すように、上阻止片１０４と下阻止片１０６と、上阻止片１０４を挿通して下阻止片１０６に螺合する押圧ねじ１０８から構成されており、上阻止片１０４と下阻止片１０６は、案内溝１１０の幅方向に傾斜した斜面１１２で接して上下に配置されている。
【０００４】
押圧ねじ１０８を締め込むことで、上阻止片１０４と下阻止片１０６との間には鉛直方向の力が作用し、上阻止片１０４が、下阻止片１０６に対して斜面１１２を滑って案内溝１１０の側壁１１４ａに向けて変位する。上阻止片１０４と下阻止片１０６は、それぞれ案内溝１１０の相対向する側壁１１４ａ，１１４ｂを押圧することとなり、ドアストッパ１００は、側壁１１４ａ，１１４ｂとの間で作用する摩擦力により、案内溝１１０に固定される。これにより、ドアストッパ１００は、ドアの戸閉動作を物理的に阻止することが可能となり、エレベータドアを戸開状態に維持することができる。
【０００５】
【特許文献１】特開２００４−５１３０９号公報
【発明の開示】
【発明が解決しようとする課題】
【０００６】
しかし、上述の特許文献１に記載のドアストッパにおいては、押圧ねじ１０８が、十分締め込まれず、ドアストッパと案内溝の側壁との間に作用する摩擦力が十分でない場合に、エレベータドアが閉じようとして当接すると、その衝撃により、ドアストッパが案内溝から外れてしまうことがあった。
【０００７】
そこで本発明は、エレベータドアが当接しても、案内溝から外れにくいドアストッパを提供することを目的としている。
【課題を解決するための手段】
【０００８】
本発明のエレベータ装置用ドアストッパは、案内溝の幅方向に間隔が拡げられて、それぞれ案内溝の対向する側壁に当接する突っ張り手段と、ドアが当接して案内溝方向に入力された力を、向きを変えて突っ張り手段に伝達させる力伝達手段とを有する。ドアが力伝達手段に当接すると、突っ張り手段は、力伝達手段から伝達された力を受けて、案内溝の対向する側壁を押圧する。ドアがドアストッパに当接しても、これにより力伝達手段に入力された力に応じて、突っ張り手段が側壁を押圧する力が増大し、ドアストッパと案内溝の対向する側壁の間に作用する摩擦力を増大させることができる。
【０００９】
好ましくは、突っ張り手段は、案内溝の一方の側壁に当接する第１面と、他方の側壁に当接する円筒状の第２面とを有し、力伝達手段は、ドアが当接するドア当接面と、ドア当接面と第１面と同一の部材に形成され、第２面と係合する斜面と、を有し、ドア当接部と第１面と斜面とが形成された同一の部材は、第１面と斜面により、ドア当接面から案内溝方向に離れるに従って溝幅方向に細くなるよう形成された先細部と、ドア当接面を含み先細部の基部として形成された当接部と、を有する楔状部材であり、第２面は、斜面に沿って移動可能に支持される円柱体の側面である。ドアがドア当接面に当接して楔状部材を押すと、楔状部材の先細部が円柱体と一方の案内溝側壁との間に押し込まれ、第１面及び第２面が、案内溝の対向する側壁をそれぞれ押圧することができる。
【００１０】
また、突っ張り手段は、案内溝の一方の側壁に当接する押圧板と、押圧板との間隔が変化するよう移動可能に設けられ、側面が案内壁の他方の側壁に当接する円柱体と、を有し、力伝達手段は、ドアが当接するドア当接部と、ドア当接部から案内溝方向に離れるに従って溝幅方向に細くなるよう形成された先細部と、を有する楔状部材であることも好ましい。ドアがドア当接部に当接して楔状部材を押すと、楔状部材の先細部が円柱体と押圧板との間に押し込まれ、円柱体と押圧板が、案内溝の対向する側壁をそれぞれ押圧することができる。
【００１１】
また、突っ張り手段は、略コの字形状であって、それぞれ案内溝の対向する側壁にそれぞれ当接する２つの腕部を含む、コの字状部材であり、力伝達手段は、ドアが当接するドア当接部と、ドア当接部から案内溝方向に離れるに従って溝幅方向に細くなるよう形成された先細部と、を有する楔状部材であることも好ましい。ドアがドア当接部に当接して楔状部材を押すと、楔状部材の先細部が２つの腕部の間に押し込まれ、コの字状部材の２つの腕部が、案内溝の対向する側壁をそれぞれ押圧することができる。
【００１２】
また、突っ張り手段は、案内溝内に収容されるブロックに形成されるコの字形状であって、コの字形状の２つの腕部が案内溝の対向する側壁にそれぞれ当接するコの字状部であり、力伝達手段は、ブロックに設けられた軸を中心に旋回するレバーに形成され、前記コの字部に当接する側ほど先細となる先細部と、先細部の背面側にありドアが当接するドア当接部とを有することも好ましい。ドアがドア当接部に当接してレバーを押すと、楔状部材の先細部が、前記２つの壁部の間に押し込まれ、コの字状部の２つの腕部が、案内溝の対向する側壁をそれぞれ押圧することができる。
【発明の効果】
【００１３】
本発明のドアストッパによれば、エレベータドアが当接しても、ドアが当接する力によりドアストッパ自らが案内溝の対向する側壁を押圧することで、案内溝から外れにくく、ドアの戸閉動作をより確実に阻止することができる。
【発明を実施するための最良の形態】
【００１４】
以下に、本発明に係る実施形態について、図面を用いて詳細に説明する。
【００１５】
〔第１実施形態〕
本実施形態のドアストッパ１０が適用されるエレベータ装置におけるエレベータドア１の案内溝４について概略を説明する。エレベータ装置は、人や物を運ぶ「かご」が、建物に形成された昇降路内を上昇・下降するものであり、昇降路に隣接して建物の各階には、かごが横付けされる乗り場が設けられている。このような、かご、及び乗り場において、双方の出入口には、スライド式のエレベータドア１（以下、単に「ドア」と記す。）が設けられている。かごと乗り場のドア１が、双方とも開いた状態（以下、戸開状態と記す。）となることで、乗り場からかごへの乗り降りが可能となる。
【００１６】
このようなドア１は、図１に示すように、かごや、乗り場に形成された案内溝４に沿って開閉する。ドア１の鉛直下方にある端面には、ここから鉛直下方に突出するドアガイドシュー２が形成されており、一方、かごや乗り場には、ドアガイドシュー２が係合することで、ドア１のスライド移動、即ち開閉動作を案内する案内溝４が形成されている。このドアガイドシュー２の両側面が、案内溝４の対向する側壁５に当接することで、ドア１は、その面に対して垂直な方向に振れることなく、案内溝４に沿って開閉動作を行っている。
【００１７】
本実施形態のドアストッパ１０の構成について、図２及び図３を用いて説明する。図２には、ドアストッパ１０の斜視図を示し、図３には、案内溝４内に置かれた状態のドアストッパ１０の上面図を示す。
【００１８】
ドアストッパ１０は、図２に示すように、一方が先細となるよう直方体の一部が切除されて、対向する面に対して傾斜した斜面２６が形成された楔状部材１２と、楔状部材１２の斜面２６に接しつつ、斜面２６に沿って移動可能な円柱体１４と、円柱体１４を楔状部材１２に対して移動可能に支持する支持板１６と、円柱体１４と螺合して、円柱体１４を支持板１６に対して固定するツマミねじ１８と、を有している。ドアストッパ１０は、これら構成部品を一式として、図３に示すように、案内溝４の対向する側壁５の間に配設される。以下に各部品について詳細を説明する。
【００１９】
楔状部材１２は、図３に示すように、略直方体を、その直方体の長手方向に対し直交する一辺に沿って切り落とした残りの部分の形状となっている。切り落とした部分の、長手方向における反対側の面がドア当接面２０であり、ドア当接面２０に直交し、切り落とした部分の切り口とは交差していない面が押圧面２２である。切り口の面（以下、斜面２６と記す）は、押圧面２２に対して傾斜しており、これにより楔状部材１２は、ドア当接面２０から離れるに従って先細となっている。
【００２０】
当該ドアストッパ１０を案内溝４内に配置するときには、その直方体の長手方向が、図に矢印Ｌで示す案内溝４に沿う方向（以下、案内溝方向と記す）に一致するように、また、ドア当接面２０がドア１に対向する向きとなるように配置される。この結果、ドア当接面２０は案内溝方向に直交し、押圧面２２は、案内溝４の第１の側壁５に対向する。
【００２１】
ドア当接面２０は、ドア１に対向して配置され、ドア１が戸閉動作をすると、このドア当接面２０に当接する。このドア当接面２０が、ドア１の一部であるドアガイドシュー２の端面２ａに対向するよう、楔状部材１２は案内溝４内に置かれる。ドア当接面２０は、案内溝方向に対して垂直な面となっており、ドア１が戸閉動作をすると、ドアガイドシュー２の端面２ａが、このドア当接面２０に当接することとなる。ドアストッパ１０は、このドア当接面２０を、戸閉動作を阻止したいドア１の端面に向けて案内溝４内に配置される。
【００２２】
押圧面２２は、案内溝４の第１の側壁５ａに対向して配置され、第１の側壁５ａに当接可能に形成されている。ドア当接面２０がドア１の端面２ａに向くよう案内溝４に配置すると、この押圧面２２は、第１の側壁５ａに対向して当接可能な状態となる。押圧面２２が、第１の側壁５ａに当接して溝幅方向（矢印Ｗで示す）に押圧すると、押圧面２２とドア当接面２０との間には、この間に作用する溝幅方向の押圧力に比例して、案内溝方向（矢印Ｌで示す）に摩擦力が作用する。なお、押圧面２２は、図３に示すように、滑り止めのための高摩擦材２４を有しても良い。高摩擦材２４は、板状のゴムなどとすることができ、これが押圧面２２に貼着される。このように構成することで、押圧面２２と第１の側壁５ａとの間における摩擦係数を増大させて、案内溝方向に作用する摩擦力を増大させることができる。
【００２３】
斜面２６は、押圧面２２に対して傾斜するよう形成されており、ドア当接面２０から案内溝方向に離れるに従って、押圧面２２との間隔が溝幅方向に狭くなるよう傾斜している。換言すれば、楔状部材１２には、この斜面２６と上述の押圧面２２とにより挟まれた先細部２８が形成されており、先細部２８は、ドア当接面２０から案内溝方向に離れるに従って、溝幅方向に細くなるよう形成されている。先細部２８の斜面２６には、後述する円柱体１４の側面が接し、先細部２８と円柱体１４は係合する。
【００２４】
円柱体１４は、その側面３２を、楔状部材１２の先細部２８の斜面２６に接しながら、この斜面２６に沿って移動可能に支持板１６を介して楔状部材１２に支持されている。支持板１６は、楔状部材１２に固定されるか、または楔状部材１２に一体に設けられている。支持板１６は、図３に示すように、楔状部材１２の鉛直上側の面を延長するように設けられており、元の直方体の一面をほぼ構成している。支持板１６には、先細部２８の斜面２６と平行な、長軸を有する長円形状の貫通穴（以下、長穴３６と記す）が形成されている。長穴３６は、その長軸と斜面２６の間隔が、円柱体１４の半径に一致するよう設定されている。
【００２５】
一方、円柱体１４には、その軸心に雌ねじ（図示せず）が形成されており、この円柱体１４の雌ねじに対して、ツマミねじ１８に形成された雄ねじ（図示せず）が、支持板１６の長穴３６を通して螺合する。これにより、円柱体１４は、その側面３２を先細部２８の斜面２６に接することとなる。ツマミねじ１８を回してねじを締めると、円柱体１４は、楔状部材１２に対して固定的に支持される。一方、ツマミねじ１８を緩めると、円柱体１４は、先細部２８の斜面２６に接しながら、斜面２６に沿って転動して移動することができる。
【００２６】
次に、本実施形態のドアストッパ１０の動作について、図３及び図４を用いて説明する。図４には、楔状部材１２の押圧面２２と円柱体側面３２とを、案内溝４の対向する側壁５（５ａ，５ｂ）に当接させた状態を示す。本実施形態のドアストッパ１０は、ドア１がドア当接面２０に当接して楔状部材１２を押すと、楔状部材１２の先細部２８が、円柱体１４と第１の側壁５ａとの間に押し込まれ、楔状部材１２の押圧面２２、及び楔状部材１２の斜面２６と係合する円柱体１４の側面３２が、案内溝４の対向する側壁５をそれぞれ押圧することを特徴としており、以下に詳細を説明する。
【００２７】
まず、ドアストッパ１０を案内溝４内に置いて、楔状部材１２の押圧面２２と、円柱体１４の側面３２との間隔を溝幅方向に拡げて案内溝４の対向する側壁５に当接させる。ドアストッパ１０は、図３に示すように、その楔状部材１２のドア当接面２０を、戸閉動作を阻止したいドア１の端面に向けて、案内溝４内に置かれており、ドア当接面２０と直交する押圧面２２は、案内溝４の第１の側壁５ａに向けられて当接している。そして、円柱体１４を斜面２６に沿って基部側（ドア当接面２０側）に移動させる。円柱体１４を移動させると、楔状部材１２の押圧面２２と、円柱体１４の側面３２のうち押圧面２２から最も距離が遠い部位３２ａとの間隔が溝幅方向（矢印Ｗで示す）に拡がる。これら部位の間隔を拡げると、図４に示すように、円柱体１４の側面３２の部位３２ａが、第２の側壁５ｂに当接し、楔状部材１２の押圧面２２が、第１の側壁５ａに当接する状態となる。
【００２８】
この状態から、更に円柱体１４を、楔状部材１２の斜面２６と第２の側壁５ｂとの間に、基部側に押し込んで、円柱体１４の側面３２が、第２の側壁５ｂを、楔状部材１２の押圧面２２が、第１の側壁５ａをそれぞれ押圧する状態にする。この状態において、ツマミねじ１８を締め付けて楔状部材１２に対し円柱体１４を仮止めする。以上のようにして、ドアストッパ１０は、案内溝４の対向する側壁５を押圧し、案内溝４に保持された状態となる。この状態においてドアストッパ１０は、ドア１の戸閉動作を阻止可能になっている。
【００２９】
そして、ドア１がドアストッパ１０に向けて案内溝４に沿ってスライド移動し、ドアガイドシュー２の端面２ａがドア当接面２０に当接して楔状部材１２を案内溝方向に押す。すると、ドア当接面２０から楔状部材１２に案内溝方向の力が入力される。楔状部材１２は、第１の側壁５ａと、円柱体側面３２の斜面２６に接する部位３２ｂとの間に案内溝方向に押し込まれる。
【００３０】
楔状部材１２に入力された力は、図４に矢印Ｖ１で示すように、先細部２８の斜面２６から円柱体側面３２の当接部位３２ｂに、斜面２６に垂直な方向に伝達される。当接部位３２ｂから円柱体側面３２に伝達された力を受けて、押圧面２２から最も距離が遠い部位３２ａ、すなわち第２の側壁５ｂと円柱体側面３２との当接部位３２ａが、第２の側壁５ｂを、第２の側壁５ｂに対して垂直な方向である溝幅方向に押圧する力は増大する。一方、第２の側壁５ｂを押圧する力の反力により、楔状部材１２の押圧面２２が、第１の側壁５ａを溝幅方向に押圧する力も増大する。溝幅方向に第１及び第２の側壁５ａ，５ｂを押圧する押圧力が増大するに従って、側壁５との間に作用する案内溝方向の摩擦力も増大することとなり、ドアストッパ１０は、より強固に案内溝４に保持される。
【００３１】
以上に説明した本実施形態のドアストッパ１０においては、第１の側壁５ａに当接する楔状部材１２の押圧面２２（第１面）と、第２の側壁５ｂに当接する円筒状を呈する円柱体１４の側面３２（第２面）とが、溝幅方向に拡げられて案内溝４の対向する側壁５に当接する部位（以下、突っ張り部と記す）を実現し、一方、楔状部材１２のドア当接面２０と、楔状部材１２に形成された、円柱体１４の側面３２（第２面）と係合する斜面２６とが、ドア１が当接して案内溝方向に入力された力を、向きを変えて突っ張り部に力を伝達させる部位（以下、力伝達部と記す）を実現している。ドア１が力伝達部に当接すると、突っ張り部は、力伝達部から伝達された力を受けて、案内溝４の対向する側壁５を押圧する。
【００３２】
したがって、ドア１がドアストッパ１０に当接しても、このときに力伝達部に入力された力の大きさに応じて、突っ張り部が側壁５を押圧する力が増大して、突っ張り部と側壁５の間に作用する摩擦力も増大することとなる。このため、ドア１がドアストッパ１０に当接しても、ドアストッパ１０が案内溝４から外れることを極力防止することができ、ドア１の戸閉動作をより確実に阻止することができる。
【００３３】
この態様のドアストッパ１０によれば、楔状部材１２と、これに移動可能に支持される円柱体１４という簡易な構成で、上述の突っ張り部と、力伝達部とを備え、案内溝４から外れにくいドアストッパ１０を実現することができる。
【００３４】
〔第２実施形態〕
本実施形態のドアストッパ１０ｂの構成について、図５及び図６を用いて説明する。図５には、ドアストッパ１０ｂの斜視図を示し、図６には、案内溝４内に置かれた状態のドアストッパ１０ｂの上面図を示す。本実施形態のドアストッパ１０ｂは、突っ張り部が、案内溝４の第１の側壁５ａに当接する押圧板３８と、押圧板３８との間隔が変化するよう移動可能に設けられ、側面３２が案内壁の第２の側壁５ｂに当接する円柱体１４と、を有し、力伝達部が、ドア１が当接するドア当接部３０ｂと、ドア当接部３０ｂから案内溝方向に離れるに従って溝幅方向に細くなるよう形成された先細部２８ｂと、を有する点で、第１実施形態のドアストッパ１０と異なり、以下に詳細を説明する。なお、第１実施形態のドアストッパ１０と共通の構成については、同一の符号を付し、説明を省略する。
【００３５】
具体的な構成部品として、ドアストッパ１０ｂは、図５に示すように、案内溝４の第１の側壁５ａに当接する押圧板３８と、押圧板３８に対して移動可能に支持され、側面３２が第２の側壁５ｂに当接する円柱体１４と、一方が先細となるよう直方体の一部が切除されて、対向する面に対して傾斜した斜面２６ｂが形成された楔状部材１２ｂと、押圧板３８から水平に延設され、円柱体１４を移動可能に支持する支持板１６ｂと、円柱体１４と螺合して、円柱体１４を支持板１６ｂに対して固定するツマミねじ１８と、を有している。ドアストッパ１０ｂは、これら構成部品を一式として、図６に示すように、案内溝４の対向する側壁５の間に配設される。以下に各部品について詳細を説明する。
【００３６】
押圧板３８は、図６に示すように、案内溝４の第１の側壁５ａに対向して配置され、その外面３７が第１の側壁５ａに当接可能に形成されている。ドアストッパ１０ｂを、後述する楔状部材１２ｂのドア当接面２０ｂがドア１の端面に向くよう案内溝４に配置すると、この押圧板３８の外面３７が、第１の側壁５ａに対向して当接可能な状態となる。押圧板３８が、第１の側壁５ａを溝幅方向（矢印Ｗで示す）に押圧すると、押圧板外面３７と第１の側壁５ａとの間には、溝幅方向の押圧力に略比例して、案内溝方向（矢印Ｌで示す）に摩擦力が作用することとなる。なお、押圧板外面３７には、図３及び図４に示すように、滑り止めのための高摩擦材２４を有している。このように構成することで、押圧面２２と第１の側壁５ａとの間における摩擦係数を増大させることができる。
【００３７】
押圧板３８の鉛直上端４０からは、後述する円柱体１４を移動可能に支持する支持板１６ｂが水平に延設されている。押圧板３８から延びる支持板１６ｂには、長円形状の貫通穴（以下、長穴３６と記す）が形成されており、その長軸は、後述する楔状部材１２ｂの斜面２６ｂに対して垂直な方向に設定されている。この支持板１６ｂの長穴３６に、円柱体１４及びツマミねじ１８が係合する。なお、本実施形態において、支持板１６ｂは、押圧板３８に一体に設けられているが、支持板１６ｂは、押圧板３８に対して円柱体１４を移動可能に支持できるものであれば良く、例えば、長穴３６が形成され、かつ押圧板３８に固定されるブラケットの様なものでも良い。
【００３８】
円柱体１４は、その側面３２と、押圧板３８の内面３９との間隔が変化するよう押圧板３８に対して移動可能に設けられている。円柱体１４には、その軸心に雌ねじ（図示せず）が形成されており、この雌ねじに対し、ツマミねじ１８に形成された雄ねじ（図示せず）が、支持板１６ｂの長穴３６を通して螺合する。ツマミねじ１８を回してねじを締めると、円柱体１４は、楔状部材１２ｂに対して固定的に支持される。一方、ツマミねじ１８を緩めると、円柱体１４は、その側面３２と、押圧板３８内面３９との間隔が変化するよう押圧板３８に対して移動することができる。
【００３９】
楔状部材１２ｂは、上述の押圧板内面３９と、円柱体側面３２との間に挿入されて配置されるものであり、図６に示すように、ドア１が当接するドア当接部３０ｂと、ドア当接部３０ｂから案内溝方向に離れるに従って細くなるよう形成された先細部２８ｂとを有している。換言すれば、楔状部材１２ｂには、ドア１が当接するドア当接面２０ｂと、押圧板内面３９に当接する押圧面２２ｂと、押圧面２２ｂに対して傾斜し、円柱体側面３２と当接する斜面２６ｂと、が形成されている。
【００４０】
ドア当接面２０ｂは、ドア１の一部であるドアガイドシュー２の端面２ａに対向して設けられており、図に矢印Ｌで示す案内溝４に沿う方向（以下、案内溝方向と記す）に対して垂直な面となっている。ドア１が戸閉動作をすると、ドア１（ドアガイドシュー２の端面２ａ）は、このドア当接面２０ｂに当接する。
【００４１】
押圧面２２ｂは、押圧板内面３９に対向して配置され、楔状部材１２ｂと押圧板内面３９とが当接する部位である。楔状部材１２ｂのドア当接面２０ｂがドア１の端面に向くよう案内溝４に配置し、楔状部材１２ｂが、押圧板３８と円柱体１４との間に先細部２８ｂを挿入すると、この押圧面２２ｂが、押圧板内面３９に当接する。先細部２８ｂを更に押し込むと、楔状部材１２ｂの押圧面２２ｂが、押圧板内面３９を溝幅方向（矢印Ｗで示す）に押圧することとなる。
【００４２】
斜面２６ｂは、押圧面２２ｂに対して傾斜して設けられており、ドア当接面２０ｂから案内溝方向に離れるに従って、押圧面２２ｂとの間隔が溝幅方向に狭くなるよう傾斜している。換言すれば、楔状部材１２ｂには、この斜面２６ｂと上述の押圧面２２ｂとにより挟まれた先細部２８ｂが形成されており、先細部２８ｂは、ドア当接面２０ｂから案内溝方向に離れるに従って、溝幅方向に細くなるよう形成されている。先細部２８ｂの斜面２６ｂには、後述する円柱体１４の側面３２が接して、先細部２８ｂと円柱体１４は係合する。
【００４３】
次に、本実施形態のドアストッパ１０ｂの動作について、図６及び図７を用いて説明する。図７には、押圧板内面３９と円柱体側面３２との間隔を拡げて案内溝４の対向する側壁５に当接させた状態を示す。本実施形態のドアストッパ１０ｂは、ドア１がドア当接面２０ｂに当接して楔状部材１２ｂを押すと、楔状部材１２ｂの先細部２８ｂが、円柱体側面３２と押圧板内面３９との間に押し込まれ、押圧板外面３７と、これに係合する円柱体側面３２とが、案内溝４の対向する側壁５をそれぞれ押圧することを特徴としており、以下に詳細を説明する。
【００４４】
まず、ドアストッパ１０ｂを案内溝４内に置いて、押圧板３８と円柱体１４との間隔を溝幅方向に拡げて、案内溝４の対向する側壁５に当接させる。ドアストッパ１０ｂは、図６に示すように、その押圧板３８の外面３７が、案内溝４の第１の側壁５ａに当接するよう配置され、楔状部材１２ｂは、戸閉動作を阻止したいドア１の端面２ａにドア当接面２０ｂを向けて、押圧板３８と円柱体１４との間に挿入される。
【００４５】
そして、図７に矢印Ｓ２で示すように、楔状部材１２ｂを案内溝方向に押し込んで、円柱体１４を、その側面３２が第２の側壁５ｂに向けて移動させる。これにより、押圧板外面３７と、円柱体側面３２のうち押圧板３８から最も距離が遠い部位３２ａとの間隔が溝幅方向に拡がる。これらの間隔を拡げると、図７に示すように、円柱体１４の側面３２の部位が、第２の側壁５ｂに当接し、楔状部材１２ｂの押圧面２２ｂが、第１の側壁５ａに当接する状態となる。
【００４６】
この状態から、更に楔状部材１２ｂを、押圧板内面３９と円柱体側面３２との間に押し込み、円柱体側面３２が第２の側壁５ｂを、楔状部材１２ｂの押圧面２２ｂが、押圧板３８を挟んで第１の側壁５ａを、それぞれ押圧する状態にする。この状態において、ツマミねじ１８を締め付けて押圧板３８に対し円柱体１４を仮止めする。以上のようにして、ドアストッパ１０ｂは、案内溝４の対向する側壁５を押圧し、案内溝４に保持された状態となる。
【００４７】
そして、ドア１がドアストッパ１０ｂに向けて案内溝４に沿ってスライド移動し、ドアガイドシュー２の端面２ａがドア当接面２０ｂに当接して楔状部材１２ｂを案内溝方向に押す。すると、ドア当接面２０ｂから楔状部材１２ｂに案内溝方向の力が入力される。楔状部材１２ｂは、第１の側壁５ａと、円柱体側面３２の斜面２６ｂに接する部位との間に案内溝方向に押し込まれる。
【００４８】
楔状部材１２ｂに入力された力は、図７に矢印Ｖ２で示すように、先細部２８ｂの斜面２６ｂから円柱体側面３２の当接部位３２ｂに、斜面２６ｂに垂直な方向に伝達される。当接部位３２ｂから円柱体側面３２に伝達された力を受けて、押圧板３８から最も距離が遠い部位３２ａ、すなわち第２の側壁５ｂと円柱体側面３２との当接部位３２ａが、第２の側壁５ｂを、第２の側壁５ｂに対して垂直な方向である溝幅方向に押圧する力は増大する。一方、第２の側壁５ｂを押圧する力の反力により、押圧板３８の外面３７が、第１の側壁５ａを溝幅方向に押圧する力も増大する。溝幅方向に第１及び第２の側壁５ａ，５ｂを押圧する押圧力が増大するに従って、側壁５との間に作用する案内溝方向の摩擦力も増大することとなり、ドアストッパ１０ｂは、より強固に案内溝４に保持される。
【００４９】
ドア１が当接しても、このときドア当接面２０ｂから楔状部材１２ｂに入力される力に応じて、楔状部材１２ｂの押圧面２２ｂが第１の側壁５ａを押圧する力と、円柱体１４の側面３２が第２の側壁５ｂを押圧する力が増大し、楔状部材１２ｂの押圧壁と第１の側壁５ａ、および円柱体１４の側面３２と第２の側壁５ｂとの間に作用する摩擦力が増大することとなる。
【００５０】
本実施形態のドアストッパ１０ｂによれば、ドア１が当接しても、第１の側壁５ａに当接する押圧板３８が、案内溝方向に変位することがなく、第１の側壁５ａとドアストッパ１０ｂとの間における摩擦係数は、静止摩擦係数のまま変動することがない。したがって、ドア１が当接した瞬間において、第１の側壁５ａとの間に安定した摩擦力を作用させることができ、ドアストッパ１０ｂを案内溝４からより外れにくくすることができる。
【００５１】
〔第３実施形態〕
本実施形態のドアストッパ５０の構成について、図８及び図９を用いて説明する。図８には、ドアストッパ５０の斜視図を示し、図９には、案内溝４内に置かれた状態のドアストッパ５０の上面図を示す。なお、図９は、理解を容易とするため、ドアストッパ５０の構成部品（後述する「把手」）を一部省略して記載している。本実施形態のドアストッパ５０は、突っ張り部として、案内溝４の対向する側壁５にそれぞれ当接する２つの腕部５４を含む、コの字状部材５２が設けられている点で、第１実施形態のドアストッパ１０と異なり、以下に詳細を説明する。なお、第１実施形態のドアストッパ１０と共通の構成については、同一の符号を付し、説明を省略する。
【００５２】
具体的な構成部品として、ドアストッパ５０は、図８に示すように、コの字形状の２つの腕部５４が、案内溝４の対向する側壁５にそれぞれ当接するコの字状部材５２と、一端が先細に形成され、２つの腕部５４の間に挿入される楔状部材６０とを有している。ドアストッパ５０は、これら構成部品を一式として、図９に示すように、案内溝４の対向する側壁５の間に配設される。
【００５３】
コの字状部材５２は、図９に示すように、略コの字形状を呈し、その材質は、弾性を有している。コの字状部材５２には、案内溝４の対向する側壁５にそれぞれ当接する２つの腕部５４と、２つの腕部５４を接続する基部５９が設けられている。この基部５９を、ドア１が当接する側とは反対側に向けて、コの字状部材５２は、案内溝４内に配置される。コの字状の２つの腕部５４は、側壁５に対向するよう配置され、基部５９に対して腕部５４が、側壁５に向けて溝幅方向Ｗに弾性変形することにより、腕部５４の外面５５が、側壁５に当接することができる。
【００５４】
ここで、腕部５４には、図に示すように、その外面５５に高摩擦材５８が配設される構成としても良い。本実施形態では、断面略三角形状の高摩擦材５８が、鉛直方向に複数延設されている。この高摩擦材５８は、例えばゴム等の材質で構成されており、腕部外面５５から側壁５に向けて溝幅方向に離れるに従って細くなるよう形成されている。この外面５５に設けられた高摩擦材５８を介して、腕部５４は側壁５に当接する。高摩擦材５８が側壁５に当接すると、図１０に示すように、その側壁５側の三角形状の頂点が、潰れるよう弾性変形する。このように構成することで、腕部５４の外面５５と側壁５との間における摩擦係数を増大させることができる。
【００５５】
楔状部材６０は、図９に示すように、略直方体を、その直方体の長手方向に直交する二辺に沿って切り落とした残りの部分の形状となっている。切り落とした部分の、長手方向における反対側の部位がドア１が当接するドア当接部６４であり、２つの切り口に挟まれる部分が先細部６２である。すなわち先細部６２は、ドア当接部６４から長手方向に離れるに従って細くなるよう形成されている。
【００５６】
当該ドアストッパ５０を案内溝４内に配置するときには、その直方体の長手方向が、図に矢印Ｌで示す案内溝方向に一致するように、また、ドア当接部６４がドア１に対向する向きとなるように、先細部６２がコの字状部材５２の２つの腕部５４の間に挿入されるように配置される。
【００５７】
ドア当接部６４は、ドアガイドシュー端面２ａに対向して設けられており、案内溝方向Ｌに対して垂直な面となっている。ドア１が戸閉動作をすると、ドア１（ドアガイドシュー２の端面２ａ）は、このドア当接部６４に当接する。
【００５８】
一方、先細部６２は、ドア当接面６８から案内溝方向に離れるに従って、溝幅方向に細くなるよう形成されている。楔状部材６０の先細部６２は、コの字状部材５２のコの字の奥側に、その先端を向けて配置される。先細部６２の溝幅方向の両側には、案内溝方向に対して傾斜した斜面６６が形成されている。
【００５９】
先細部６２を、コの字状部材５２の２つの腕部５４の間に挿入すると、先細部６２の斜面６６が、それぞれ腕部５４の内面５７に当接し係合する。なお、図８に示すように、楔状部材６０の先細部６２の鉛直上方の端面７０には、断面Ｌ字形状を呈する板状の把手７２が固定されており、楔状部材６０の案内溝４内への配置と、コの字状部材５２への手動での押し込みを容易にしている。
【００６０】
次に、本実施形態のドアストッパ５０の動作について、図９及び図１０を用いて説明する。図１０には、ドアストッパ５０の間隔を拡げて案内溝４の対向する側壁５に当接させた状態を示す。なお、図９及び図１０は、理解を容易にするため、把手については記載を省略している。本実施形態のドアストッパ５０は、ドア１がドア当接面６８に当接して楔状部材６０を押すと、楔状部材６０の先細部６２が、コの字状部材５２の２つの腕部５４の間に押し込まれ、２つの腕部５４の外面５５が、案内溝４の対向する側壁５をそれぞれ押圧することを特徴としており、以下に詳細を説明する。
【００６１】
まず、ドアストッパ５０を案内溝４内に置いて、コの字状部材５２の２つの腕部５４の間隔を溝幅方向に拡げて、案内溝４の対向する側壁５に当接させる。ドアストッパ５０は、図９に示すように、そのコの字状部材５２の、腕部５４の外面５５が側壁５に対向するよう配置され、楔状部材６０は、ドア当接部６４をドア１の端面２ａに向けて、かつ斜面６６をコの字状部材５２の腕部５４の内面５７に当接させて配置される。
【００６２】
そして、図１０に矢印Ｓ３で示すように、楔状部材６０を案内溝方向に押し込んで、コの字状部材５２の腕部５４の内面５７を押圧して、コの字状部材５２を弾性変形させる。これにより、コの字状部材５２の腕部５４が溝幅方向に拡がる。腕部５４の間隔を拡げると、腕部５４の外面５５が、案内溝４の対向する側壁５にそれぞれ当接する状態となる。
【００６３】
この状態から、更に楔状部材６０の先細部６２を、コの字状部材５２の２つの腕部５４の間に押し込んで、２つの腕部５４の外面５５が、それぞれ対向する側壁５を押圧する状態にする。以上のようにして、ドアストッパ５０は、案内溝４の対向する側壁５を押圧し、案内溝４に保持された状態となる。
【００６４】
そして、ドア１がドアストッパ５０に向けて案内溝４に沿ってスライド移動し、ドアガイドシュー２の端面２ａがドア当接部６４に当接して楔状部材６０を案内溝方向に押す。すると、ドア当接面６８からは、楔状部材６０に案内溝方向の力が入力される。楔状部材６０の先細部６２は、楔状部材６０の２つの腕部５４の間に案内溝方向に押し込まれる。
【００６５】
楔状部材６０に入力された力は、図１０に矢印Ｖ３、Ｖ４で示すように、先細部６２の斜面６６から腕部５４の内面５７に、斜面６６に垂直な方向に伝達される。斜面６６から腕部内面５７に伝達された力のうち、溝幅方向の分力（矢印Ｄ１，Ｄ２で示す）が加わることで、腕部外面５５が側壁５を溝幅方向に押圧する力は増大する。側壁５を押圧する押圧力が増大するに従って、側壁５との間に作用する案内溝方向の摩擦力も増大することとなり、ドアストッパ５０は、より強固に案内溝４に保持される。
【００６６】
本実施形態のドアストッパ５０によれば、ドア１が当接しても、弾性を有するコの字状部材５２と、コの字の腕部５４の間に先細部６２が挿入される楔状部材６０という簡易な構成で、上述の突っ張り部と、力伝達部とを備えて案内溝４から外れにくいドアストッパ５０を実現することができる。
【００６７】
〔第４実施形態〕
本実施形態のドアストッパ５０ｂの構成について、図１１及び図１２を用いて説明する。図１１には、案内溝４の第１の側壁５ａとドアストッパ５０ｂの斜視図を示し、図１２には、案内溝４内に置かれた状態のドアストッパ５０ｂの上面図を示す。本実施形態のドアストッパ５０ｂは、突っ張り部として、案内溝４内に収容されるブロック８０に形成され、コの字形状の２つの腕部５４が案内溝４の対向する側壁５にそれぞれ当接するコの字状部８２が設けられ、力伝達部として、ブロック８０に設けられた軸を中心に旋回するレバー９０に形成され、コの字状部８２に当接する側ほど先細となる先細部９３と、先細部９３の背面側にありドア１が当接するドア当接部９４とが設けられている点で、第１実施形態のドアストッパ１０と異なり、以下に詳細を説明する。なお、第１実施形態のドアストッパ１０と共通の構成については、同一の符号を付し、説明を省略する。
【００６８】
具体的な構成部品として、ドアストッパ５０ｂは、図１１に示すように、コの字形状の２つの腕部５４が、案内溝４の対向する側壁５にそれぞれ当接するコの字状部８２が形成されたブロック８０と、ブロック８０に設けられた軸を中心に旋回するレバー９０とを有している。以下に各部品について詳細を説明する。
【００６９】
ブロック８０には、弾性部材で構成されており、図１１に示すように、略コの字形状に形成されているコの字状部８２と、これを鉛直下側から支える基部８４が設けられている。コの字状部８２が、案内溝４の側壁５（図１１に側壁５の鉛直上端及び下端を二点鎖線で示す。）に対向するよう、ブロック８０は、その高さ（図１１に矢印Ｈで示す）が設定されており、案内溝４内に収容される。
【００７０】
コの字状部８２は、略コの字形状を呈しており、２つの腕部５４を有している。２つの腕部５４が、図１２に示すようにそれぞれ側壁５に対向するよう、ブロック８０は、案内溝４の側壁５に対して所定の隙間をもって配置される。ブロック８０の基部８４に対してコの字状部８２の腕部５４が、側壁５に向けて溝幅方向（矢印Ｗで示す）に弾性変形することにより、腕部５４の外面５５が、側壁５に当接することができる。
【００７１】
ブロック８０の基部８４は、図１１に示すように、２つの腕部５４のそれぞれ鉛直下側に、後述するレバー９０をブロック８０に対して支持するレバー支持部８６を有している。２つのレバー支持部８６には、溝幅方向に延びる軸８８（軸心を一点鎖線Ｐで示す）が嵌め込まれており、この軸８８は、レバー９０を軸支する。
【００７２】
レバー９０は、軸８８が挿通されるレバー基部９１と、レバー基部９１より軸心Ｐに対して外径側に設けられ、コの字状部８２に当接する楔状部９２と、楔状部９２より更に外径側に設けられ、操作されてレバー９０を旋回させるハンドル９７とを有している。このハンドル９７を作業員が操作して、レバー９０は、図１１に矢印Ｑで示すように、ブロック８０に設けられた軸８８を中心として、側壁５と平行な面に沿って旋回させることで、ブロック８０のコの字状部８２にレバー９０の楔状部９２を当接させることができる。
【００７３】
レバー９０をコの状部の２つの腕部５４に当接させた状態において、楔状部９２は、コの字状部８２と当接する側ほど先細となるよう形成された先細部９３と、先細部９３の背面側にあり、ドア１と当接するドア当接部９４とを有している。図１２に示すように、ドア当接部９４は、ドアガイドシュー２の端面２ａに対向して設けられたドア当接面９５を有しており、ドア１が当接すると、ここから楔状部９２に案内溝方向の力が入力される。
【００７４】
一方、先細部９３は、溝幅方向に２つの側面９６を有しており、この２つの側面９６が、腕部５４に当接する。２つの先細部側面９６は、ドア当接面９５から案内溝方向に離れるに従って互いの間隔が狭くなるよう設定されており、レバー９０を矢印Ｑで示す方向に旋回させると、図１２に示すように、楔状部９２の先細部９３が、ブロック８０の２つの腕部５４の間に挿入されて、先細部側面９６が、腕部内面５７に当接し、これに係合する。
【００７５】
次に、本実施形態のドアストッパ５０ｂの動作について、図１２及び図１３を用いて説明する。図１３には、ドアストッパ５０ｂの間隔を拡げて案内溝４の対向する側壁５に当接させた状態を示す。本実施形態のドアストッパ５０ｂは、ドア１がドア当接面９５に当接して楔状部９２を押すと、楔状部９２の先細部９３が、ブロック８０の２つの腕部５４の間に押し込まれ、２つの腕部５４の外面５５が、案内溝４の対向する側壁５をそれぞれ押圧することを特徴としており、以下に詳細を説明する。
【００７６】
まず、ドアストッパ５０ｂを案内溝４内に置いて、コの字状部８２の２つの腕部５４の間隔を溝幅方向に拡げて、案内溝４の対向する側壁５に当接させる。ドアストッパ５０ｂは、図１２に示すように、ブロック８０の腕部外面５５が案内溝４の対向する側壁５に対向するよう配置され、レバー９０は、楔状部９２のドア当接部９４をドア１に向けて、楔状部９２の先細部側面９６を、コの字状部８２の腕部内面５７に当接させて配置される。
【００７７】
そして、図１２に矢印Ｓ４で示すように、ハンドル９７を操作してレバー９０の先細部９３を案内溝方向に押し込み、ブロック８０の腕部内面５７を押圧して、コの字状部８２を弾性変形させる。これにより、コの字状部８２の腕部５４が溝幅方向に拡がる。腕部５４の間隔を拡げると、腕部５４の外面５５が、案内溝４の対向する側壁５にそれぞれ当接する状態となる。
【００７８】
この状態から、更にレバー９０の先細部９３を、ブロック８０の２つの腕部５４の間に押し込んで、２つの腕部５４の外面５５が、それぞれ対向する側壁５を押圧する状態にする。以上のようにして、ドアストッパ５０ｂは、案内溝４の対向する側壁５を押圧し、案内溝４に保持された状態となる。
【００７９】
そして、ドア１がドアストッパ５０ｂに向けて案内溝４に沿ってスライド移動し、ドアガイドシュー２の端面２ａがドア当接部９４に当接して、レバー９０を案内溝方向に押す。すると、ドア当接部９４から楔状部９２に案内溝方向の力が入力される。楔状部９２の先細部９３は、楔状部９２の２つの腕部５４の間に案内溝方向に押し込まれる。
【００８０】
楔状部９２に入力された力は、図１３に矢印Ｖ５及びＶ６で示すように、先細部側面９６から腕部内面５７に、先細部側面９６に垂直な方向に伝達される。先細部側面９６から腕部内面５７に伝達された力のうち溝幅方向の分力（矢印Ｄ３，Ｄ４で示す）が加わることで、腕部外面５５が側壁５を溝幅方向に押圧する力は増大する。側壁５を押圧する押圧力が増大するに従って、側壁５との間に作用する案内溝方向の摩擦力も増大することとなり、ドアストッパ５０ｂは、より強固に案内溝４に保持される。
【００８１】
本実施形態のドアストッパ５０ｂによれば、ブロック８０と、ブロック８０に設けられた軸８８を中心に旋回するレバー９０という構成で、上述の突っ張り部と、力伝達部とを備えて案内溝４から外れにくいドアストッパを実現することができる。ブロック８０に支持されたレバー９０を旋回させて押し込むだけで、ドアストッパ５０ｂを案内溝４に固定することができ、より容易にドアストッパ５０ｂを案内溝４に装着することができる。
【００８２】
以上、各実施形態について説明した。以下に、本発明の望ましい態様を記す。
（１）
エレベータ装置のドアの開閉動作を案内する案内溝内に置かれて、案内溝の対向する第１及び第２の側壁に当接し、ドアの戸閉動作を阻止するドアストッパであって、
ドアが当接するドア当接面と、第１の側壁に当接する押圧面と、ドア当接面から案内溝方向に離れるに従って押圧面との間隔が溝幅方向に狭くなるよう押圧面に対して傾斜する斜面と、を含む楔状部材と、
側面を前記斜面に接しながら楔状部材に対して移動可能に設けられ、側面が第２の側壁に当接する円柱体と、
を有し、
ドアがドア当接面に当接して楔状部材を押すと、楔状部材が、第１の側壁と円柱体側面との間に押し込まれ、
ドア当接面から楔状部に入力された案内溝方向の力は、斜面から円柱体の側面に伝達されて、
楔状部の押圧面が第１の側壁を押圧し、円柱体の側面が第２の側壁を押圧する、
ドアストッパ。
【００８３】
（２）
エレベータ装置のドアの開閉動作を案内する案内溝内に置かれて、案内溝の対向する第１及び第２の側壁に当接し、ドアの戸閉動作を阻止するドアストッパであって、
第１の側壁に外面が当接する押圧板と、
押圧板裏面との間隔が変化するよう押圧板に対して移動可能に設けられ、側面が第２の側壁に当接する円柱体と、
ドアが当接するドア当接面と、押圧板内面に当接する押圧面と、ドア当接面から案内溝方向に離れるに従って押圧面との間隔が溝幅方向に狭くなるよう押圧面に対して傾斜する斜面と、を含む楔状部材と、
を有し、
ドアがドア当接面に当接して楔状部材を押すと、楔状部材が、押圧板裏面と円柱体側面との間に押し込まれ、
ドア当接面から楔状部材に入力された案内溝方向の力は、斜面から円柱体の側面に、押圧面から押圧板の内面に伝達されて、
押圧板の外面が第１の側壁を押圧し、円柱体の側面が第２の側壁を押圧する、
ドアストッパ。
【００８４】
（３）
エレベータ装置のドアの開閉動作を案内する案内溝内に置かれて、案内溝の対向する側壁に当接し、ドアの戸閉動作を阻止するドアストッパであって、
コの字形状を呈し、２つの腕部がそれぞれ対向する側壁に当接するコの字状部材と、
ドアが当接するドア当接面と、ドア当接面から案内溝方向に離れるに従って互いの間隔が溝幅方向に狭くなる２つの側面と、を含む楔状部材と、
を有し、
ドアがドア当接面に当接して楔状部材を押すと、楔状部材が、２つの腕部の間に押し込まれ、
ドア当接面から楔状部材に入力された案内溝方向の力は、側面からそれぞれコの字状部材の腕部に伝達されて、
２つの腕部がそれぞれ対向する側壁を押圧する、
ドアストッパ。
【００８５】
（４）
エレベータ装置のドアの開閉動作を案内する案内溝内に置かれて、案内溝の対向する側壁に当接し、ドアの戸閉動作を阻止するドアストッパであって、
案内溝の対向する側壁にそれぞれ当接する２つの腕部をドアと対向する側に含み、案内溝内に収容されるブロックと、
ブロックに設けられた軸を中心に旋回するレバーであり、レバーを前記２つの腕部に当接させた状態において、ドアと当接するドア当接面と、ドア当接面から案内溝方向に離れるに従って互いの間隔が溝幅方向に狭くなる２つの側面を含む楔状部材と、を有するレバーと、
を備え、
ドアがドア当接面に当接してレバーを押すと、レバーの楔状部材が、前記２つの腕部の間に押し込まれ、
ドア当接面からレバーに入力された案内溝方向の力は、楔状部材の側面から前記２つの腕部に伝達されて、
２つの腕部が案内溝の対向する側壁を押圧する、
ドアストッパ。
【図面の簡単な説明】
【００８６】
【図１】エレベータドアの案内溝を示す図である。
【図２】第１実施形態のドアストッパの斜視図である。
【図３】第１実施形態のドアストッパの上面図であり、ドアストッパが案内溝内に置かれた状態を示す。
【図４】第１実施形態のドアストッパの上面図であり、ドアストッパの間隔を拡げて案内溝の対向する側壁に当接させた状態を示す。
【図５】第２実施形態のドアストッパの斜視図である。
【図６】第２実施形態のドアストッパの上面図であり、ドアストッパが案内溝内に置かれた状態を示す。
【図７】第２実施形態のドアストッパの上面図であり、ドアストッパの間隔を拡げて案内溝の対向する側壁に当接させた状態を示す。
【図８】第３実施形態のドアストッパの斜視図である。
【図９】第３実施形態のドアストッパの上面図であり、ドアストッパが案内溝内に置かれた状態を示す。
【図１０】第３実施形態のドアストッパの上面図であり、ドアストッパの間隔を拡げて案内溝の対向する側壁に当接させた状態を示す。
【図１１】第４実施形態のドアストッパの斜視図である。
【図１２】第４実施形態のドアストッパの上面図であり、ドアストッパが案内溝内に置かれた状態を示す。
【図１３】第４実施形態のドアストッパの上面図であり、ドアストッパの間隔を拡げて案内溝の対向する側壁に当接させた状態を示す。
【図１４】特許文献１に記載のドアストッパの縦断面図である。
【符号の説明】
【００８７】
１  ドア、２  ドアガイドシュー、４  案内溝、５，５ａ，５ｂ  案内溝の側壁，１０，１０ｂ  ドアストッパ、１２  楔状部材、１４  円柱体、１６，１６ｂ  支持板、２０  ドア当接面、２２  押圧面、２６  斜面、２８  先細部、３０  ドア当接部、３２  円柱体側面、３２ａ，３２ｂ  当接部位、３８  押圧板、５０，５０ｂ  ドアストッパ，５２  コの字状部材、５４  腕部、５５  腕部外面、５７  腕部内面、６０  楔状部材、６２  先細部、６４  ドア当接部、６６  斜面、６８  ドア当接面、７２  把手、８０  ブロック、８２  コの字状部、８８  軸、９０  レバー、９２  楔状部、９３  先細部、９４  ドア当接部、９６  先細部側面、１００  ドアストッパ、１０４  上阻止片、１０６  下阻止片、１０８  押圧ねじ、１１０  案内溝、１１４  案内溝側壁。
【図１】
2007045589.tif 000003
【図２】
2007045589.tif 000004
【図３】
2007045589.tif 000005
【図４】
2007045589.tif 000006
【図５】
2007045589.tif 000007
【図６】
2007045589.tif 000008
【図７】
2007045589.tif 000009
【図８】
2007045589.tif 000010
【図９】
2007045589.tif 000011
【図１０】
2007045589.tif 000012
【図１１】
2007045589.tif 000013
【図１２】
2007045589.tif 000014
【図１３】
2007045589.tif 000015
【図１４】
2007045589.tif 000016